(57)【要約】      （修正有）【課題】玩具銃の前部握把のぐらつきと騒音の発生を防止する。【解決手段】尾筒部と前部握把に固定手段が組み付けられ、照門３と該固定手段の間に携行ハンドルが組み付けられ、該携行ハンドルと前部握把が平行とされ、携行ハンドル上面に照準眼鏡６が設けられている。本発明は固定手段により前部握把が尾筒部前端に連結され、前部握把がしっかりと尾筒部に固定され、前部握把のぐらつき或いは騒音が防止され、携行ハンドルにより照門と固定手段が連結され、これにより銃身と尾筒部が直線状態に保持され、また、ハンドルに照準眼鏡６を直接着脱でき、照準眼鏡の使用の便利性と実用性を具えている。【選択図】図４
0003101020.tif 000002
【実用新案登録請求の範囲】
【請求項１】
尾筒部の前方に銃身が固定され、銃身に固定座が設置され、尾筒部と銃身の結合部分に弾性固定リングが設置され、尾筒部の上方が組合せ板とされ、組合せ板上面に複数の平行な凸條が設けられ、前部握把が銃身の固定座と弾性固定リングの間に組み合わされ、前部握把の上方が長條状の組合せ部とされ、該組合せ部上面に複数の相互に平行な固定凸條が設けられ、照門が尾筒部の組合せ板端部に組み合わされた玩具銃において、
尾筒部前端と前部握把後端に固定手段が組み合わされ、照門と固定手段の間に携行ハンドルが組み付けられ、該携行ハンドルと尾筒部及び銃身が平行とされたことを特徴とする、玩具銃。
【請求項２】
請求項１記載の玩具銃において、固定手段の端部の下方両側にフックが凸設され、該フックが前部握把の組合せ部両側下方の溝中に挿入係止され、固定手段の上表面に複数の相互に平行な位置決め凸條が凸設され、固定手段の後端に横向きに可動式の挟持部品が組み付けられ、該挟持部品がボルトで尾筒部の組合せ板に締めつけられ、締めつけボルトにより固定手段の前端が前部握把の組合せ部に締めつけられることを特徴とする、玩具銃。
【請求項３】
請求項１記載の玩具銃において、携行ハンドルが長條状とされて手による握持に適合し、携行ハンドルの上表面に複数の相互に平行な凸條が凸設され、組合せボルトが携行ハンドルの両側を貫通して照門と固定手段の上方に結合されたことを特徴とする、玩具銃。
【請求項４】
請求項１記載の玩具銃において、携行ハンドルに照準眼鏡が組み付けられたことを特徴とする、玩具銃。
【考案の詳細な説明】
【技術分野】
【０００１】
本考案は玩具銃に係り、特に、銃身と前部握把に固定手段が組み付けられ、これにより前部握把と銃身がしっかりと固定され、前部握把のぐらつきが防止され、照門と該固定手段の間にハンドルが組み付けられ、該ハンドルが前部握把と平行とされ、ハンドルに照準眼鏡を組み付けることができる玩具銃に関する。
【背景技術】
【０００２】
玩具銃はその外観、構造、更には重量が本物の銃を模して製造され、玩具銃の真実感を高め、玩具銃収集者の興味関心を引き、その付加価値を高めている。
【０００３】
図１は周知の６５式玩具銃の局部立体図であり、それは、尾筒部８１の前端に銃身８２が固定され、銃身８２の外側に前部握把８３が組み合わされ、該前部握把８３が尾筒部８１前端の弾性固定リング８１１に嵌合され、尾筒部８１の上方に携行ハンドル８４が螺子止めされ、該携行ハンドル８４に照門８４１が連設されている。一般に玩具銃はキャビネット内に設置され、ゆえに周知の玩具銃は使用者が携行する場合、ショルダーバンドを使用して銃全体を肩に掛けるか、手で携行ハンドル８４を握持するか、或いは前部握把８３を握持して射撃を模擬する。このような携行活動或いは射撃模擬の時、周知の構造は以下のような欠点を有している。
１．前部握把８３は尾筒部８１前端の弾性固定リング８１１に可動式に嵌合され、ゆえに前部握把８３が動く或いは握持される時、ぐらつきと騒音を発生しやすく、この音が使用者の行動或いは位置を簡単に知らせ、且つ携帯使用の時間が長くなるほどぐらつきの幅が大きくなり、騒音も大きくなる。
２．周知の玩具銃の携行ハンドル８４には直接照準眼鏡８５を取り付けることができず、使用者が照準眼鏡８５を結合させて使用したい場合は、携行ハンドル８４全体を取り外し、さらに図２に示されるように、照準眼鏡８５を尾筒部８１に組み合わせなければならず、照準眼鏡８５の使用に極めて不便である。
【０００４】
以上の欠点のため、玩具銃の愛好者及び制作者は、周知の玩具銃の前部握把、携行ハンドルの構造に対する改良を求めている。
【考案の開示】
【考案が解決しようとする課題】
【０００５】
本考案は周知の技術の欠点を改善した一種の玩具銃を提供することを課題とし、それは、固定手段を利用して前部握把を尾筒部に固定し、並びに携行ハンドルを改良し、徹底的に周知の技術の前部握把のぐらつきと騒音の発生の問題、及び照準眼鏡を直接着脱できない問題を解決したものとする。
【０００６】
この課題を解決するため、本考案は、尾筒部と前部握把に固定手段を組み付け、照門と該固定手段の間に携行ハンドルを組み付け、該携行ハンドルと尾筒部を平行とし、携行ハンドルの上面に照準眼鏡を組み付けられるようにしている。
【課題を解決するための手段】
【０００７】
請求項１の考案は、尾筒部の前方に銃身が固定され、銃身に固定座が設置され、尾筒部と銃身の結合部分に弾性固定リングが設置され、尾筒部の上方が組合せ板とされ、組合せ板上面に複数の平行な凸條が設けられ、前部握把が銃身の固定座と弾性固定リングの間に組み合わされ、前部握把の上方が長條状の組合せ部とされ、該組合せ部上面に複数の相互に平行な固定凸條が設けられ、照門が尾筒部の組合せ板端部に組み合わされた玩具銃において、
尾筒部前端と前部握把後端に固定手段が組み合わされ、照門と固定手段の間に携行ハンドルが組み付けられ、該携行ハンドルと尾筒部及び銃身が平行とされたことを特徴とする、玩具銃としている。
請求項２の考案は、請求項１記載の玩具銃において、固定手段の端部の下方両側にフックが凸設され、該フックが前部握把の組合せ部両側下方の溝中に挿入係止され、固定手段の上表面に複数の相互に平行な位置決め凸條が凸設され、固定手段の後端に横向きに可動式の挟持部品が組み付けられ、該挟持部品がボルトで尾筒部の組合せ板に締めつけられ、締めつけボルトにより固定手段の前端が前部握把の組合せ部に締めつけられることを特徴とする、玩具銃としている。
請求項３の考案は、請求項１記載の玩具銃において、携行ハンドルが長條状とされて手による握持に適合し、携行ハンドルの上表面に複数の相互に平行な凸條が凸設され、組合せボルトが携行ハンドルの両側を貫通して照門と固定手段の上方に結合されたことを特徴とする、玩具銃としている。
請求項４の考案は、請求項１記載の玩具銃において、携行ハンドルに照準眼鏡が組み付けられたことを特徴とする、玩具銃としている。
【考案の効果】
【０００８】
本考案の玩具銃は、固定手段により前部握把が尾筒部前端に連結され、これにより前部握把が強固に尾筒部に固定され、前部握把のぐらつきと騒音の発生が防止される。
【０００９】
本考案の玩具銃は、携行ハンドルを利用して照門と固定手段が連結され、これにより更に銃身と尾筒部が直線状態を保持し、また、携行ハンドルに直接照準眼鏡を着脱可能で、照準眼鏡の使用の便利性と実用性を増している。
【考案を実施するための最良の形態】
【００１０】
図３、４は本考案の実施例の斜視図及び分解斜視図である。本考案の玩具銃は、尾筒部１の前方に銃身１１が固定され、銃身１１に固定座１２が設置され、尾筒部１と銃身１１の結合部分に弾性固定リング１３が設置され、尾筒部１の上方が組合せ板１４とされ、組合せ板１４上面に複数の平行な凸條１４１が設けられ、前部握把２が銃身１１の固定座１２と弾性固定リング１３の間に嵌合され、図５に示されるように、前部握把２の上方は長條状の組合せ部２１とされ、組合せ部２１の上方に複数の相互に平行な固定凸條２２が設けられ、両側の下方が凹んで溝とされ、照門３が尾筒部１の組合せ板１４端部に組み合わされている。
【００１１】
本考案の特徴は以下のとおりである。尾筒部１上方の組合せ板１４前端と前部握把２の後端に固定手段４が接続され、図６に示されるように、該固定手段４の端部の下方両側にフック４０が凸設され、該フック４０が前部握把２の組合せ部２１両側下方の溝中に挿入係止され、固定手段４の上表面に複数の相互に平行な位置決め凸條４１が凸設され、固定手段４の後端に横向きに可動式の挟持部品４２が組み付けられ、該挟持部品４２がボルト４２１で尾筒部１の組合せ板１４に締めつけられ、締めつけボルト４３により固定手段４の前端が前部握把２の組合せ部２１に締めつけられる。照門３と固定手段４の間には携行ハンドル５が組み付けられ、図７に示されるように、該携行ハンドル５は長條状とされて手による握持に適合し、携行ハンドル５の上表面に複数の相互に平行な凸條５１が凸設され、組合せボルト５２が携行ハンドル５の両側を貫通して照門３と固定手段４の上方に結合され、該携行ハンドル５と尾筒部１及び銃身１１が平行とされる。
【００１２】
本考案の実施において、該固定手段４は前部握把２と尾筒部１前端を連結し、前部握把２の固定凸條２２と尾筒部１の組合せ板１４上の凸條１４１を利用し固定手段４が緊密に位置決めされ、前部握把２が強固に尾筒部１上方の組合せ板１４に固定され、前部握把２のぐらつきや騒音の発生が防止される。また、携行ハンドル５を利用し照門３と固定手段４が連結されることにより、銃身１１と尾筒部１が直線状態を保持し、また、携行ハンドル５に直接照準眼鏡６を着脱でき、携行ハンドル５上方の凸條５１に照準眼鏡６下方の組合せフレーム６１が組み合わされて位置決めされ、確実に照準眼鏡６の使用の便利と実用性が増されている。
【００１３】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１４】
【図１】周知の技術の斜視図であり、携行ハンドルが組み付けられている。
【図２】周知の技術の斜視図であり、照準眼鏡が組み付けられている。
【図３】本考案の実施例の斜視図である。
【図４】本考案の実施例の分解斜視図である。
【図５】本考案の実施例の部分組合せ斜視図である。
【図６】本考案の実施例の部分組合せ斜視図である。
【図７】本考案の実施例の部分組合せ斜視図である。
【符号の説明】
【００１５】
１  尾筒部
１１  銃身
１２  固定座
１３  弾性固定リング
１４  組合せ板
１４１  凸條
２  前部握把
２１  組合せ部
２２  固定凸條
３  照門
４  固定手段
４０  フック
４１  位置決め凸條
４２  挟持部品
４２１  ボルト
４３  締めつけボルト
５  携行ハンドル
５１  凸條
５２  組合せボルト
６  照準眼鏡
６１  組合せフレーム
８１  尾筒部
８１１  弾性固定リング
８２  銃身
８３  前部握把
８４  携行ハンドル
８４１  照門
８５  照準眼鏡
【図１】
0003101020.tif 000003
【図２】
0003101020.tif 000004
【図３】
0003101020.tif 000005
【図４】
0003101020.tif 000006
【図５】
0003101020.tif 000007
【図６】
0003101020.tif 000008
【図７】
0003101020.tif 000009